(57)【要約】【課題】映像特性の調整が容易かつ簡易に行えるマルチディスプレイ用調整装置、マルチディスプレイシステムおよびマルチディスプレイ映像システムを提供する。【解決手段】各々の画面の表示特性を各々の調整範囲内で変化させて、各々のディスプレイ７ａの画面表示特性の調整域を算出するとともに、各々のディスプレイ７ａの調整域が重複している範囲内において各々のディスプレイ７ａの調整度合の設定値を設定可能に構成されているディスプレイ特性演算手段１４と、各ディスプレイ７ａの映像特性が整合するように各ディスプレイ７ａの調整度合をそれぞれ設定値とするように構成されたディスプレイ特性制御手段１６を具備する。【選択図】図３
2005057507.tif 000002
【特許請求の範囲】
【請求項１】
入力信号に応じた映像を表示すると共に画面の表示特性を調整可能に構成されているディスプレイを複数個組み合わせて１つの画面を形成することができるように構成されたマルチディスプレイ装置に表示された映像を撮影して、その撮影された映像の画像データを入力するように構成された画像データ入力手段と；
画像データ入力手段に入力された各ディスプレイの画像データから各ディスプレイの映像特性の調整度合を演算する映像特性演算手段と；
各々の画面の表示特性を各々の調整範囲内で変化させて、各々のディスプレイの画面表示特性の調整域を算出するとともに、各々のディスプレイの調整域が重複している範囲内において各々のディスプレイの調整度合の設定値を設定可能に構成されているディスプレイ特性演算手段と；
ディスプレイ特性演算手段により設定された各々のディスプレイの調整度合の設定値を記憶する記憶手段と；
各ディスプレイの映像特性が整合するように各ディスプレイの調整度合をそれぞれ設定値とするように構成されたディスプレイ特性制御手段と；
を具備していることを特徴とするマルチディスプレイ用調整装置。
【請求項２】
入力信号に応じた映像を表示すると共に画面の表示特性を調整可能に構成されているディスプレイを複数個組み合わせて１つの画面を形成することができるように構成されたマルチディスプレイ装置と；
各ディスプレイの映像特性を整合するように構成された請求項１記載のマルチディスプレイ用調整装置と；
を具備していることを特徴とするマルチディスプレイシステム。
【請求項３】
請求項２記載のマルチディスプレイシステムと；
マルチディスプレイ装置に対して映像信号を出力する映像出力装置と；
を具備していることを特徴とするマルチディスプレイ映像システム。
【発明の詳細な説明】
【技術分野】
【０００１】
本発明は、複数個のディスプレイ装置が組み合わされて１つの画面が形成可能なマルチディスプレイ装置の各ディスプレイの映像特性の調整を行うマルチディスプレイ用調整装置、マルチディスプレイシステムおよびマルチディスプレイ映像システムに関する。
【背景技術】
【０００２】
マルチディスプレイ装置は、独立したディスプレイ装置の画面を例えばマトリックス状に複数個並べて構成されており、１つの大画面を構成可能であるので、例えば展示場、競技場、駅やホールなどに設置されている。しかしながら、複数個のディスプレイ装置を組み合わせて１つの大画面を形成するので、ディスプレイ装置の画面間に輝度むらや色むらが発生しやすい。そこで、個々のディスプレイ装置に対する輝度むらおよび色むらの調整、白バランス調整およびガンマ調整などによる映像特性の調整が行われている。この映像特性の調整は、ディスプレイ装置の設置数（画面数）が多くなるにしたがい増加するので、総合的な調整時間の短縮化が望まれている。
【０００３】
そのために、マルチディスプレイの輝度むらおよび色むらを、カメラを用いて自動調整するものがあり、個々のディスプレイ毎に輝度むらおよび色むらを調整した後に、ディスプレイ間の高輝度および低輝度の白バランス調整を繰り返し行い、さらにディスプレイ間のガンマ調整を行っているものがある（例えば、特許文献１参照。）。
【０００４】
また、同じくカメラを用いて自動調整するものとして、輝度むらおよび色むらを共に調整する画面領域と色むらのみを調整する画面領域を任意に設定することで、高輝度を保ちながら輝度むらおよび色むらの調整を精度よく行うものがある（例えば、特許文献２参照。）。
【０００５】
また、隣接するディスプレイ装置の画面の境界領域の画像が同じになるように一方の画面を基準として輝度や色合いを調整するとともに、基準が２個ある場合は、各々の基準と対応する境界領域との差がそれぞれ最も小さくなるように調整するものがある（例えば、特許文献３参照。）。
【特許文献１】特開平７−３３３７６０号公報（第３−４頁、第１−２図）
【特許文献２】特開平８−９４０６号公報（第３頁、第１−２図）
【特許文献３】特開２００１−９２４３１号公報（第３−４頁、第５図）
【発明の開示】
【発明が解決しようとする課題】
【０００６】
特許文献１〜特許文献３は、調整プロセスが複雑であるとともに、各々のディスプレイの表示特性を各々のディスプレイの調整域が重複している範囲内において調整しようとしていないので、調整のやり直しを行うおそれがあるという欠点を有する。
【０００７】
本発明は、映像特性の調整が容易かつ簡易に行えるマルチディスプレイ用調整装置、マルチディスプレイシステムおよびマルチディスプレイ映像システムを提供することを目的とする。
【課題を解決するための手段】
【０００８】
請求項１に記載のマルチディスプレイ用調整装置の発明は、入力信号に応じた映像を表示すると共に画面の表示特性を調整可能に構成されているディスプレイを複数個組み合わせて１つの画面を形成することができるように構成されたマルチディスプレイ装置に表示された映像を撮影して、その撮影された映像の画像データを入力するように構成された画像データ入力手段と；画像データ入力手段に入力された各ディスプレイの画像データから各ディスプレイの映像特性の調整度合を演算する映像特性演算手段と；各々の画面の表示特性を各々の調整範囲内で変化させて、各々のディスプレイの画面表示特性の調整域を算出するとともに、各々のディスプレイの調整域が重複している範囲内において各々のディスプレイの調整度合の設定値を設定可能に構成されているディスプレイ特性演算手段と；ディスプレイ特性演算手段により設定された各々のディスプレイの調整度合の設定値を記憶する記憶手段と；各ディスプレイの映像特性が整合するように各ディスプレイの調整度合をそれぞれ設定値とするように構成されたディスプレイ特性制御手段と；を具備していることを特徴とする。
【０００９】
本発明および以下の各発明において、特に言及しない限り、各構成は以下による。
【００１０】
「映像特性の調整」とは、例えば輝度むら、色むらの調整および白バランス調整などをいう。
【００１１】
本発明によれば、ディスプレイ特性演算手段により、各々のディスプレイの画面表示特性の調整域が重複している範囲内において、各々のディスプレイの映像特性の調整度合の設定値が設定され、ディスプレイ特性制御手段により、各ディスプレイの調整度合がそれぞれ設定値とされて各ディスプレイの映像特性が整合されるので、容易かつ簡易に映像特性の調整が行える。
【００１２】
請求項２に記載のマルチディスプレイシステムの発明は、入力信号に応じた映像を表示すると共に画面の表示特性を調整可能に構成されているディスプレイを複数個組み合わせて１つの画面を形成することができるように構成されたマルチディスプレイ装置と；各ディスプレイの映像特性を整合するように構成された請求項１記載のマルチディスプレイ用調整装置と；を具備していることを特徴とする。
【００１３】
本発明によれば、マルチディスプレイ装置の各ディスプレイに対して映像特性の調整が容易かつ簡易に行えるマルチディスプレイシステムが提供される。
【００１４】
請求項３に記載のマルチディスプレイ映像システムの発明は、請求項２記載のマルチディスプレイシステムと；マルチディスプレイ装置に対して映像信号を出力する映像出力装置と；を具備していることを特徴とする。
【００１５】
本発明によれば、マルチディスプレイ装置の各ディスプレイに対する映像特性の調整が容易かつ簡易に行えるマルチディスプレイ映像システムが提供される。
【発明の効果】
【００１６】
請求項１に記載の発明によれば、ディスプレイ特性演算手段により、各々のディスプレイの画面表示特性の調整域が重複している範囲内において、各々のディスプレイの映像特性の調整度合の設定値が設定され、ディスプレイ特性制御手段により、各ディスプレイの調整度合がそれぞれ設定値とされて各ディスプレイの映像特性が整合されるので、容易かつ簡易に映像特性の調整を行うことができる。
【００１７】
請求項２に記載の発明によれば、マルチディスプレイ装置の各ディスプレイに対して映像特性の調整が容易かつ簡易に行えるマルチディスプレイシステムを提供することができる。
【００１８】
請求項３に記載の発明によれば、マルチディスプレイ装置の各ディスプレイに対する映像特性の調整が容易かつ簡易に行えるマルチディスプレイ映像システムを提供することができる。
【発明を実施するための最良の形態】
【００１９】
以下、本発明の一実施の形態について、図面を参照して説明する。
【００２０】
図１〜図６は、本発明の一実施の形態を示し、図１（ａ）はマルチディスプレイ映像システムの概略正面図、同図（ｂ）は概略背面図、図２はディスプレイ装置の概略構成ブロック図、図３はマルチディスプレイ用調整装置の概略構成ブロック図、図４は調整前の映像特性の入力レベルに対する出力レベルの特性図、図５は映像特性の調整フロー図、図６は映像特性の入力レベルに対する出力レベルの変化を示し、（ａ）は各ディスプレイの特性図、（ｂ）は設定値の設定を示す説明図である。
【００２１】
図１において、マルチディスプレイ映像システム１は、マルチディスプレイシステム２および映像出力装置３を有して構成されている。また、マルチディスプレイシステム２は、マルチディスプレイ装置４、マルチディスプレイ用調整装置５およびカメラ（撮像装置）６を有して構成されている。
【００２２】
マルチディスプレイ装置４は、複数個のディスプレイ装置７を縦に３列、横に４列となるように組み合わせて形成されたものであり、各々のディスプレイ７ａの組み合わせにより１つの大きな画面を形成することができるように構成されている。ここで、所望に応じて、これらディスプレイ７ａの組合せ配置は、適宜設定されるものである。
【００２３】
ディスプレイ装置７は、図２に示すように、アナログ／デジタル（Ａ／Ｄ）変換部８、プロセス部９および表示デバイス部１０を有して構成されている。そして、プロセス部９および表示デバイス部１０は、出力部１１を形成している。Ａ／Ｄ変換部８は、アナログ信号をデジタル信号に変換するものであり、例えば映像出力装置３から伝送されたＲＧＢアナログ信号をデジタル信号に変換して出力部１１に出力する。プロセス部９は、マルチディスプレイ用調整装置５からの制御信号により、内部テストパターンの調整信号を表示デバイス部１０に出力するように構成されている。表示デバイス部１０は、ディスプレイ７ａに映像を表示させるとともに、当該調整信号に応じて表示特性を変化させるように構成されている。すなわち、各々のディスプレイ７ａ（ディスプレイ装置７）は、映像出力装置３からの映像信号（入力信号）に応じた映像を表示するとともに、画面（スクリーン）の表示特性を調整可能に構成されている。
【００２４】
マルチディスプレイ用調整装置５は、図１（ｂ）に示すように、各々のディスプレイ装置７に接続されており、図示しない制御装置からの制御信号などに応じて、各々のディスプレイ装置７の表示特性を調整するように構成されている。すなわち、各々のディスプレイ７ａの輝度むらや色むらの調整、輝度調整および白バランス調整などの映像特性の調整を行い、各々のディスプレイ７ａの組み合わせにより形成された１つの画面を色むらや輝度むらがなく均一の輝度に形成させるようにする。
【００２５】
そして、マルチディスプレイ用調整装置５は、図３に示すように、画像データ入力手段としての画像データ入力部１２、映像特性演算手段としての映像特性演算部１３、ディスプレイ特性演算手段としてのディスプレイ特性演算部１４、記憶手段としての記憶部１５およびディスプレイ特性制御手段としてのディスプレイ特性制御部１６を有している。そして、画像データ入力部１２はカメラ（撮像装置）６に接続され、ディスプレイ特性制御部１６は各々のディスプレイ装置７に接続されている。ここで、カメラ６は、マルチディスプレイ装置４の各ディスプレイ７ａに表示された映像を撮影するものであり、撮影した映像の画像データを画像データ入力部１２に出力するように構成されている。
【００２６】
画像データ入力部１２は、カメラ６が撮影した各ディスプレイ７ａの画像データを入力するように構成されている。そして、映像特性演算部１３は、画像データ入力部１２に入力された各ディスプレイ７ａの画像データから各ディスプレイ７ａの映像特性の調整度合を演算するように構成されている。
【００２７】
ディスプレイ特性演算部１４は、ディスプレイ特性制御部１６からディスプレイ装置７の出力部１１のプロセス部８に制御信号を出力させて、または、映像出力装置３に制御信号を出力させて、マルチディスプレイ装置４への映像特性の入力レベルに対して、ディスプレイ装置７毎に、映像特性の出力レベルを最大値および最小値に変化させるように構成されている。すなわち、各々のディスプレイ装置７の画面の表示特性を各々の調整範囲内で変化させる。この画面の表示特性の変化は、カメラ６により撮影されて、その画像データが画像データ入力部１２に入力され、映像特性演算部９で各ディスプレイ７ａの表示特性の変化として演算される。そして、ディスプレイ特性演算部１４は、各々のディスプレイ７ａの表示特性の変化に基づいて、各々のディスプレイ７ａの画面表示特性の調整域を算出する。そして、各々のディスプレイ７ａの調整域が重複している範囲内において、映像特性の入力レベルの変化に対して各々のディスプレイ７ａの出力レベルの調整度合の設定値を設定するように構成されている。
【００２８】
その設定値は、映像特性の入力レベルに対する各々のディスプレイ７ａの出力レベルが同一にされる値であり、調整度合が設定値となることにより、各々のディスプレイ７ａの映像特性が同一化される。
【００２９】
ディスプレイ特性演算部１４により設定された上記設定値は、不揮発性の記憶部１５に記憶される。そして、ディスプレイ特性制御部１６は、映像特性演算部１３から演算された各ディスプレイ７の映像特性の調整度合が入力される。そして、当該調整度合が入力されると、記憶部１５より前記設定値を読み出し、当該映像特性の調整度合が設定値となるように制御する。これにより、各ディスプレイ７ａの映像特性が整合される。このようにして、マルチディスプレイ用調整装置５は構成されている。
【００３０】
そして、例えばビデオ装置などの映像出力装置３は、図１（ｂ）に示すように、各々のディスプレイ装置７に映像信号を出力するものである。そして、各々のディスプレイ装置７は、映像信号（入力信号）に応じて自己のディスプレイ７ａに表示する映像を判断し、当該映像を表示させるように構成されている。
【００３１】
なお、映像出力装置３およびマルチディスプレイ装置４の間に中継装置を配設し、映像出力装置３から出力された映像信号を中継装置が各々のディスプレイ装置７に表示させる映像信号に分配させてもよい。また、中継装置は、マルチディスプレイ装置４のディスプレイに１つの映像を表示させてもよく、ディスプレイを分割して、それぞれに同じまたは異なる映像を表示させるようにしてもよい。すなわち、マルチディスプレイ映像システム１は、各々のディスプレイ７ａの組み合わせにより形成された画面に対して、１つの画面として映像を表示してもよく、画面を分割してそれぞれの画面に映像を表示させるようにしてもよい。
【００３２】
以下、マルチディスプレイ装置４の各ディスプレイ７ａの映像特性の調整方法について説明する。
【００３３】
当初、映像出力装置３から映像信号を出力させて、各々のディスプレイ装置７のディスプレイ７ａに映像を表示させると、図４に示すように、映像特性の入力レベル（例えば輝度の入力レベル（０〜１００％））に対する映像特性の出力レベル（輝度の出力レベル（０〜１００％））が各々のディスプレイ７ａの画面（スクリーン）上で異なっている。そこで、映像特性の入力レベルに対する出力レベルが全てのディスプレイ７ａで同一となるように、映像特性の調整を行う。
【００３４】
図５は、映像特性の調整のフローを示したものである。まず、マルチディスプレイ用調整装置５において、映像特性の選定、例えば輝度むらの選定を行う（ステップＳ１）。
【００３５】
そして、選定した映像特性（輝度むら）の調整を行わせるために、順次、マルチディスプレイ用調整装置５のディスプレイ特性制御部１６から各々のディスプレイ装置７のプロセス部９に制御信号を送出させる（ステップＳ２）。すると、プロセス部９は、内部テストパターンによる調整信号の出力を行う（ステップＳ３）。すなわち、図６（ａ）に示すように、入力レベル０〜１００％の任意の入力レベルの範囲、例えば入力レベル２０〜８０％に対する各ディスプレイ７ａ１，７ａ２，…の出力輝度レベルを初期特性ａ１，ａ２，…から最小および最大に変化させるそれぞれの調整信号を出力して、各ディスプレイ７ａの出力輝度レベルを最小および最大に変化させる。これにより、各々のディスプレイ装置７のディスプレイ（画面）７ａの表示特性が各々の調整範囲内で変化される。そして、各々のディスプレイ７ａの画面表示特性は、マルチディスプレイ用調整装置５の画像データ入力部１２および映像特性演算部１３を介してディスプレイ特性演算部１４に入力され、ディスプレイ特性演算部１４により当該調整域が算出される（ステップＳ４）。
【００３６】
そして、ディスプレイ特性演算部１４は、図６（ｂ）に示すように、各々のディスプレイ７ａの調整域が重複している範囲内において、各々のディスプレイ７ａの入力輝度レベルに対する出力輝度レベルの調整度合の設定値を演算し（ステップＳ５）、記憶部１５に記憶させる（ステップＳ６）。
【００３７】
前記設定値が設定されると、ディスプレイ特性制御部１６は、順次、各々のディスプレイ７ａに対して、図６（ｂ）に示すように、前記設定値が設定された入力輝度レベルの範囲内の複数の入力輝度レベル、例えば２０％、４０％、６０％、８０％において、映像特性演算部１３により演算された調整度合がそれぞれ入力輝度レベルにおける設定値となるように調整する（ステップＳ７）。例えば、入力輝度レベル６０％において、ディスプレイ７ａ１の初期特性ａ１がｂ１調整されて設定値Ｓとなり、ディスプレイ７ａ２の初期特性ａ２がｂ２調整されて設定値Ｓとなる。これにより、各ディスプレイ７ａの輝度むら（映像特性）が整合される。なお、輝度むらの調整は、赤、青および緑の各成分に対して行うようにする。
【００３８】
そして、ディスプレイ装置７のプロセス部９の内部テストパターンによる輝度むらの調整を終えると、映像出力装置３からの映像信号による輝度むら（映像特性）の調整を行うようにする（ステップＳ８）。すなわち、各々のディスプレイ装置７のＡ／Ｄ変換部８および出力部１１の特性ばらつきを包含した映像特性の調整を行うために、ディスプレイ特性制御部１６は、順次、各々のディスプレイ７ａに対して、映像出力装置３から一定の映像信号（調整信号）を出力させ（ステップＳ９）、上述したように、各ディスプレイ７ａの調整度合を設定値として、各ディスプレイ７ａの輝度むら（映像特性）を整合させる。
【００３９】
次に、他の映像特性のひとつ、例えば色むらの調整を選択する（ステップＳ１０）。そして、ステップＳ３に戻り、各ディスプレイ装置７に入力される色レベル、例えば２５６階調に対して、上述したようにして、各ディスプレイ７ａの色合いを整合させる。さらに、白バランス調整などを行い、各ディスプレイ装置７に対する映像特性の調整を行う。これにより、マルチディスプレイ装置４のディスプレイ７ａは、色むらや輝度むらがなく、白バランス調整が整った映像が表示される。
【００４０】
上述したように、マルチディスプレイ映像システム１（マルチディスプレイシステム２）は、各ディスプレイ７ａの映像特性の調整域が重複している範囲内において各々のディスプレイ７ａの調整度合の設定値が設定され、各々のディスプレイ７ａの調整度合を設定値とするように調整されるので、容易かつ簡易に映像特性の調整が行われる。
【図面の簡単な説明】
【００４１】
【図１】本発明の一実施の形態を示すマルチディスプレイ映像システムであり、（ａ）は概略正面図、（ｂ）は概略背面図。
【図２】同じく、ディスプレイ装置の概略構成ブロック図。
【図３】同じく、マルチディスプレイ用調整装置の概略構成ブロック図。
【図４】同じく、調整前の映像特性の入力レベルに対する出力レベルの特性図。
【図５】同じく、映像特性の調整フロー図。
【図６】同じく、映像特性の入力レベルに対する出力レベルの変化を示し、（ａ）は各ディスプレイの特性図、（ｂ）は設定値の設定を示す説明図。
【符号の説明】
【００４２】
１…マルチディスプレイ映像システム
２…マルチディスプレイシステム
３…映像出力装置
４…マルチディスプレイ装置
５…マルチディスプレイ用調整装置
１２…画像データ入力手段としての画像データ入力部
１３…映像特性演算手段としての映像特性演算部
１４…ディスプレイ特性演算手段としてのディスプレイ特性演算部
１５…記憶手段としての記憶部
１６…ディスプレイ特性制御手段としてのディスプレイ特性制御部
【図１】
2005057507.tif 000003
【図２】
2005057507.tif 000004
【図３】
2005057507.tif 000005
【図４】
2005057507.tif 000006
【図５】
2005057507.tif 000007
【図６】
2005057507.tif 000008